(57)【要約】【課題】光源の発光による眩しさを軽減するとともに、光源の原稿面における照度のばらつきを軽減する。【解決手段】原稿に対して光を照射するＬＥＤ１と、原稿を無彩として読み取るモノクロラインセンサと、原稿を有彩として読み取る複数のカラーラインセンサとを有し、原稿からの光の反射光を電気信号に変換して、原稿を読み取るＣＣＤ２と、主走査方向の原稿サイズを検知する場合、モノクロラインセンサおよびカラーラインセンサのいずれのラインセンサにより原稿を読み取るかを示す読取モードを、モノクロラインセンサにより原稿を読み取るモノクロモードに切り替えるモード切替部９１と、を備えることを特徴とする。【選択図】図１
2013026657.tif 000002
【特許請求の範囲】
【請求項１】
原稿に対して光を照射する光源と、
前記原稿を無彩として読み取るモノクロラインセンサと、前記原稿を有彩として読み取る複数のカラーラインセンサとを有し、前記原稿からの前記光の反射光を電気信号に変換して、前記原稿を読み取る読取手段と、
主走査方向の原稿サイズを検知する場合、前記モノクロラインセンサおよび前記カラーラインセンサのいずれのラインセンサにより前記原稿を読み取るかを示す読取モードを、前記モノクロラインセンサにより前記原稿を読み取るモノクロモードに切り替える切替手段と、を備えることを特徴とする画像読取装置。
【請求項２】
原稿台に載置された前記原稿を押圧する圧板と、
前記圧板が開いた状態である開状態と、前記圧板が閉じた状態である閉状態とを検知する開閉検知手段と、をさらに備え、
前記切替手段は、前記開閉検知手段により前記開状態が検知された場合、前記読取モードを前記モノクロモードに切り替えることを特徴とする請求項１に記載の画像読取装置。
【請求項３】
前記読取手段は、前記開閉検知手段により前記閉状態が検知された場合、前記モノクロラインセンサにより前記原稿を読み取ることを特徴とする請求項２に記載の画像読取装置。
【請求項４】
前記開閉検知手段により前記開状態が検知された場合、前記原稿サイズの検知を開始する位置である原稿サイズ検知位置に前記光源を移動させる駆動手段をさらに備えることを特徴とする請求項２または３に記載の画像読取装置。
【請求項５】
前記読取手段により出力された信号に基づいて前記原稿サイズを判定するサイズ判定手段をさらに備え、
前記切替手段は、前記サイズ判定手段により前記原稿サイズが判定された後、利用者により指定された前記読取モードに切り替えることを特徴とする請求項１〜４のいずれか一つに記載の画像読取装置。
【請求項６】
電源投入時に、前記光源を前記読取モードそれぞれに対応した光量に調整する光量調整を行い、前記サイズ判定手段により前記原稿サイズが判定された後、前記光源の光量を電源投入時の前記光量調整により調整した値に設定する光源制御手段をさらに備えることを特徴とする請求項５に記載の画像読取装置。
【請求項７】
前記光源制御手段は、前記開閉検知手段により前記閉状態が検知された場合、前記光源の光量を電源投入時の前記光量調整により調整した値から一律に低減した値に設定することを特徴とする請求項６に記載の画像読取装置。
【請求項８】
前記読取手段による前記原稿サイズの検知回数をカウントするカウント手段をさらに備えることを特徴とする請求項１〜７のいずれか一つに記載の画像読取装置。
【請求項９】
画像読取装置で実行される画像読取方法であって、
前記画像読取装置は、原稿に対して光を照射する光源と、前記原稿を無彩として読み取るモノクロラインセンサと、前記原稿を有彩として読み取る複数のカラーラインセンサとを有し、前記原稿からの前記光の反射光を電気信号に変換して、前記原稿を読み取る読取手段とを備え、
主走査方向の原稿サイズを検知する場合、前記モノクロラインセンサおよび前記カラーラインセンサのいずれのラインセンサにより前記原稿を読み取るかを示す読取モードを、前記モノクロラインセンサにより前記原稿を読み取るモノクロモードに切り替える切替工程を含むことを特徴とする画像読取方法。
【請求項１０】
原稿に対して光を照射する光源と、前記原稿を無彩として読み取るモノクロラインセンサと、前記原稿を有彩として読み取る複数のカラーラインセンサとを有し、前記原稿からの前記光の反射光を電気信号に変換して、前記原稿を読み取る読取手段とを備える画像読取装置を、
主走査方向の原稿サイズを検知する場合、前記モノクロラインセンサおよび前記カラーラインセンサのいずれのラインセンサにより前記原稿を読み取るかを示す読取モードを、前記モノクロラインセンサにより前記原稿を読み取るモノクロモードに切り替える切替手段
として機能させるためのプログラム。
【発明の詳細な説明】
【技術分野】
【０００１】
本発明は、原稿台に載置された原稿を読み取る画像読取装置、画像読取方法およびプログラムに関する。
【背景技術】
【０００２】
従来、画像読取装置において、フラットベッドスキャナ（flat  bed  scanner）により原稿台に載置された原稿を読み取る場合、主走査方向および副走査方向それぞれに設けられた専用のセンサで原稿サイズを検知する機器が多かった。しかし、近年では、主走査方向の原稿サイズの検知には専用のセンサを設けず、読み取りデバイスとして使用されるＣＣＤ（Charge  Coupled  Device）等によって原稿サイズを検知している。具体的には、例えば、圧板が開いた状態から閉じた状態になるとＬＥＤ（Light  Emitting  Diode）などの光源を点灯して原稿を照射し、ＣＣＤへ入射した反射光によって原稿サイズを検知する。
【０００３】
しかし、ＬＥＤなどの光源を利用して原稿サイズを検知する場合、光源の点灯による光が使用者にとって眩しいという問題があった。そこで、光源の発光による眩しさを軽減する原稿画像読み取り装置が開示されている（例えば、特許文献１参照）。この特許文献１の原稿画像読み取り装置は、原稿サイズを検知する場合、フラットベッドスキャナの圧板の開いている角度が所定の値以下になるとＬＥＤを１つおきに点灯させ、原稿読み取り時の光量よりも低い光量を用いて原稿サイズを読み取るものである。
【発明の概要】
【発明が解決しようとする課題】
【０００４】
ここで、ＬＥＤなどの光源を使用している画像読取装置では、電源投入時に装置ごとに光源の光量調整を行うのが一般的である。光源の光量調整とは、光源を点灯した際にＣＣＤから出力される画像データを元に調整される。このため、各装置において、光源やＣＣＤ自体のばらつき、すなわち、光源の発光強度のばらつきやＣＣＤの画素ごとの感度ムラなどのばらつきなどの要因を含んで読み取られた画像データから光量調整を行うと、装置ごとに原稿面における照度がばらついてしまうという問題があった。
【０００５】
本発明は、上記に鑑みてなされたものであって、原稿サイズを検知する際に、光源の発光による眩しさを軽減するとともに、光源の原稿面における照度のばらつきを軽減する画像読取装置、画像読取方法、およびプログラムを提供することを目的とする。
【課題を解決するための手段】
【０００６】
上述した課題を解決し、目的を達成するために、本発明は、画像読取装置において、原稿に対して光を照射する光源と、前記原稿を無彩として読み取るモノクロラインセンサと、前記原稿を有彩として読み取る複数のカラーラインセンサとを有し、前記原稿からの前記光の反射光を電気信号に変換して、前記原稿を読み取る読取手段と、主走査方向の原稿サイズを検知する場合、前記モノクロラインセンサおよび前記カラーラインセンサのいずれのラインセンサにより前記原稿を読み取るかを示す読取モードを、前記モノクロラインセンサにより前記原稿を読み取るモノクロモードに切り替える切替手段と、を備えることを特徴とする。
【０００７】
また、本発明は、画像読取装置で実行される画像読取方法であって、前記画像読取装置は、原稿に対して光を照射する光源と、前記原稿を無彩として読み取るモノクロラインセンサと、前記原稿を有彩として読み取る複数のカラーラインセンサとを有し、前記原稿からの前記光の反射光を電気信号に変換して、前記原稿を読み取る読取手段とを備え、主走査方向の原稿サイズを検知する場合、前記モノクロラインセンサおよび前記カラーラインセンサのいずれのラインセンサにより前記原稿を読み取るかを示す読取モードを、前記モノクロラインセンサにより前記原稿を読み取るモノクロモードに切り替える切替工程を含むことを特徴とする。
【０００８】
また、本発明は、原稿に対して光を照射する光源と、前記原稿を無彩として読み取るモノクロラインセンサと、前記原稿を有彩として読み取る複数のカラーラインセンサとを有し、前記原稿からの前記光の反射光を電気信号に変換して、前記原稿を読み取る読取手段とを備える画像読取装置を、主走査方向の原稿サイズを検知する場合、前記モノクロラインセンサおよび前記カラーラインセンサのいずれのラインセンサにより前記原稿を読み取るかを示す読取モードを、前記モノクロラインセンサにより前記原稿を読み取るモノクロモードに切り替える切替手段として機能させるためのプログラムである。
【発明の効果】
【０００９】
本発明によれば、原稿サイズを検知する際に、光源の発光による眩しさを軽減するとともに、光源の原稿面における照度のばらつきを軽減するという効果を奏する。
【図面の簡単な説明】
【００１０】
【図１】図１は、実施の形態にかかる画像読取装置の構成を示すブロック図である。
【図２】図２は、実施の形態にかかるＣＣＤの概略図である。
【図３】図３は、ＬＥＤが発光した光がＣＣＤへ入射する場合の説明図である。
【図４】図４は、原稿サイズ検知時の第１キャリッジによる動作の説明図である。
【図５】図５は、原稿サイズ検知時の第１キャリッジによる動作の説明図である。
【図６】図６は、ＬＥＤの光量調整の説明図である。
【図７】図７は、ＬＥＤの光量調整の流れを示すフローチャートである。
【図８】図８は、原稿サイズの検知動作の流れを示すフローチャートである。
【図９】図９は、実施の形態にかかる画像読取装置のハードウェア構成を示すブロック図である。
【発明を実施するための形態】
【００１１】
以下に添付図面を参照して、この発明にかかる画像読取装置、画像読取方法およびプログラムの最良な実施の形態を詳細に説明する。なお、以下の実施の形態において説明する画像読取装置は、コピー機能、プリンタ機能、スキャナ機能およびファクシミリ機能のうち少なくとも２つの機能を有する複合機、複写機、プリンタ、スキャナ装置、ファクシミリ装置等、画像を読み取る装置であればいずれにも適用することができる。
【００１２】
ＬＥＤを光源として使用する画像読取装置では、通常、原稿を読み取る際の光源の光量を最適化するために、電源投入時に光源の光量調整を行っている。光源の光量調整は、ＣＣＤにより読み取った画像データに基づいて行われる。従って、ＰＣＢ（printed  circuit  board）上に実装されたＬＥＤ自体の発光強度のばらつきや、ＣＣＤ感度のばらつきがあると、原稿面における照度もばらついてしまう。例えば、ＣＣＤの感度が極端に低い場合、狙いの画像レベルになるようにＬＥＤの発光強度を強めるための光量調整が行われる。よって、ＬＥＤやＣＣＤなどの部品のばらつきによりＬＥＤの発光量が変わるため、装置ごとに原稿面の照度のばらつきが異なってしまう。
【００１３】
本実施の形態では、後述するように、１ラインのモノクロラインおよび３ラインのカラーラインを有する４ラインＣＣＤを使用するが、装置ごとの原稿面に対する照度のばらつきを軽減させるため、モノクロラインを使用して原稿サイズを検知する。モノクロラインのみを使用すると、ＣＣＤの感度がばらつく要因となるカラーフィルタを使用しないため、カラーフィルタによるばらつきを考慮する必要がなくなる。これにより、光源の光量調整後の原稿面に対する照度のばらつきが軽減できることになる。
【００１４】
図１は、実施の形態にかかる画像読取装置の構成を示すブロック図である。図１に示すように、画像読取装置は、スキャナ１００と、画像処理部２００と、主制御部３００とを主に備えている。
【００１５】
スキャナ１００は、さらに、ＬＥＤ１と、ＣＣＤ２と、モータ３と、圧板開閉センサ４と、原稿サイズ検知センサ５とを主に備えている。
【００１６】
ＬＥＤ１は、電流を流すと発光する半導体素子であり、原稿台に載置された原稿に対して光を照射する光源である。ＬＥＤ１は、主走査方向に複数個並べることにより原稿面上で均一な光量となるようにＰＣＢ上に実装されている。本実施の形態では、光源としてＬＥＤを利用しているが、これに限定されることなく他の光源を利用する構成としてもよい。
【００１７】
ＣＣＤ２は、ＬＥＤ１により原稿に対して光が照射され、原稿からの該光の反射光を電気信号に変換して原稿を読み取るものである。具体的には、ＣＣＤ２は、原稿が保持する情報を光の明暗として取得し、光の明暗に従う画像信号を生成して、生成した画像信号をＡＦＥ６に送出する。本実施の形態では、ＣＣＤ２により読み取られた画像データにより、原稿サイズの検知を行う。なお、本実施の形態では、読み取りデバイスとしてＣＣＤを利用しているが、これに限定されることなく、密着センサなどの等倍センサなどを利用する構成としてもよい。
【００１８】
ＣＣＤ２は、原稿を無彩（モノクロ）として読み取るモノクロラインセンサと、原稿を有彩として読み取る３本のカラーラインセンサとを有する４ｃｈＣＣＤ（４ラインセンサ）である。図２は、実施の形態にかかるＣＣＤの概略図である。ＣＣＤ２は、図２に示すように、Ｂｋ（黒あるいはモノクロ）のラインセンサからなるモノクロラインセンサＬ１と、Ｒ（赤）、Ｇ（緑）Ｂ（青）のラインセンサからなるカラーラインセンサＬ２とから構成されており、Ｂｋ、Ｒ、Ｇ、Ｂの順に配列されている。そして、カラーラインセンサＬ２は、色を判別するためカラーフィルタを使用してカラー画像を生成するが、モノクロラインセンサＬ１では色の判別が不要であるためカラーフィルタを使用しない。
【００１９】
また、ＣＣＤ２は、モノクロラインセンサＬ１、カラーラインセンサＬ２のいずれのラインセンサにより原稿を読み取るかを示す読取モードが切り替えられる。具体的には、ＣＣＤ２は、モノクロラインセンサＬ１により読み取るモノクロモードと、カラーラインセンサＬ２により読み取るカラーモードとを切り替える端子を有しており、読取モードの切り替えが可能となっている。なお、各読取モードに応じて入力するクロックも変更する。
【００２０】
ＣＣＤ２は、原稿サイズを検知する場合、後述する圧板開閉センサ４により原稿台に載置された原稿を押圧する圧板が閉じた状態（閉状態）になったことが検知された場合に、モノクロラインセンサＬ１により原稿を読み取る。
【００２１】
ここで、ＬＥＤ１で発光された光がＣＣＤ２へ入射するまでの様子を説明する。図３は、ＬＥＤが発光した光がＣＣＤへ入射する場合の説明図である。図３に示すように、スキャナ１００は、載置台Ｐのコンタクトガラスの下方に、ＬＥＤ１、第１ミラー２１、第２ミラー２２、第３ミラー２３、レンズ２４、ＳＢＵ（センサボートユニット）２５、およびＣＣＤ２を備えている。
【００２２】
ＬＥＤ１から載置台Ｐに載置された原稿に対して光が照射されると、原稿からの反射光が第１ミラー２１、第２ミラー２２、第３ミラー２３を経由して、該反射光を集光するレンズ２４に入射した後、ＳＢＵ２５に実装されたＣＣＤ２へ入射される。ここで、ＬＥＤ１および第１ミラー２１が実装されたモジュールを第１キャリッジＣ１とし、第ミラー２２および第３ミラー２３が実装されたモジュールを第２キャリッジＣ２とする。
【００２３】
モータ３は、印刷等のために原稿を読み取る場合や、ＣＣＤ２により原稿サイズを検知する場合、ＬＥＤ１が実装された第１キャリッジＣ１や第２キャリッジＣ２を駆動するものである。ここで、ＣＣＤ１によって原稿サイズを検知する際の第１キャリッジＣ１の動作について説明する。図４、５は、原稿サイズ検知時の第１キャリッジによる動作の説明図である。
【００２４】
モータ３は、電源投入時に、第１キャリッジＣ１を基準白板の下方、すなわち読取ガラス３０の下方に移動させる。ここで、基準白板とは、圧板の読取ガラス３０に対向する位置に設けられた白色の板状部材であり、ＬＥＤ１の光量調整をする場合のシェーディング補正などに使用される。シェーディング補正とは、ＬＥＤ１の個々の発光強度のばらつき、また主走査方向のばらつきや、ＣＣＤ２の画素毎の感度ムラ等が原因で、一様な濃度の原稿を読み取ったにもかかわらず、読み取りデータがばらつく現象を補正することである。
【００２５】
また、モータ３は、後述する圧板開閉センサ４により圧板が開いた状態（開状態）になったことが検知された場合に、原稿サイズの検知を開始する位置である原稿サイズ検知位置Ｂに第１キャリッジＣ１を移動させる。
【００２６】
また、モータ３は、後述する圧板開閉センサ４により圧板の閉状態が検知された場合に、第１キャリッジＣ１を原稿サイズ検知位置Ｂから、通常の待機位置Ａまで移動させる。このときに、ＬＥＤ１を点灯して原稿を読み取ることにより、主走査方向の原稿サイズを検知する。そして、副走査方向の原稿サイズは、後述する原稿サイズ検知センサ５により検知する。なお、待機位置Ａは、読取ガラス３０近傍のモールドで遮光される部分などがあり機種により異なる。
【００２７】
圧板開閉センサ４は、圧板の開いた状態（開状態）と、圧板が閉じた状態（閉状態）とを検知するセンサである。具体的には、例えば、圧板開閉センサ４は、圧板が予め定めた所定の角度以上に開いた場合を開状態として検知し、圧板が所定の角度以下に閉じた場合を閉状態として検知する。ＣＣＤ２による原稿サイズ検知動作は、この圧板開閉センサ４による検知をトリガとして行われる。
【００２８】
原稿サイズ検知センサ５は、原稿台Ｐに載置された原稿の副走査方向のサイズを検出するためのセンサであり、図４、５に示すようにスキャナ内部に実装される。
【００２９】
また、画像処理部２００は、ＡＦＥ（Analogue  Front  End）６と、画像処理部７と、原稿サイズ判定部８とを主に備えている。
【００３０】
ＡＦＥ６は、Ａ／Ｄ変換を行う機器であり、ＣＣＤ２のモノクロラインセンサＬ１、カラーラインセンサＬ２から出力されたそれぞれのアナログ画像信号をデジタル画像信号に変換するものである。また、ＡＦＥ６は、出力されるデジタル画像信号の暗オフセットレベル調整および明出力調整機能も有する。なお、ＡＦＥ６は、スキャナ１００におけるＳＢＵ２５に実装される場合もあるし、主制御部３００に実装される場合もある。
【００３１】
画像処理部７は、ＡＦＥ６から出力されたデジタル画像信号に対して各種処理を行うものである。
【００３２】
原稿サイズ判定部８は、主走査方向の原稿サイズを検知するためにＣＣＤ２から出力された電気信号と、副走査方向の原稿サイズを検知するために原稿サイズ検知センサ５から出力された信号とにより、主走査方向および副走査方向の原稿サイズを判定する。
【００３３】
また、主制御部３００は、スキャナ制御部９と、ＣＰＵ（Central  Processing  Unit）１０と、操作部１１と、メモリ１２とを主に備えている。
【００３４】
スキャナ制御部９は、ＣＣＤ２およびＡＦＥ６を駆動する制御信号、ＬＥＤ１およびモータ３を駆動する制御信号を出力する機能や、原稿サイズ検知センサ５および圧板開閉センサ４を駆動する機能などを備える。スキャナ制御部９は、モード切替部９１と、光源制御部９２と、カウント部９３とを備えている。
【００３５】
モード切替部９１は、ＣＣＤ２により原稿を読み取る際の読取モードを、モノクロモードまたはカラーモードに切り替えるものである。具体的には、モード切替部９１は、主走査方向の原稿サイズを検知する際に、圧板開閉センサ４により開状態が検知されると、読取モードをモノクロモードに切り替える。また、モード切替部９１は、原稿サイズ判定部８により原稿サイズが判定された後、利用者により指定された読取モードに切り替える。
【００３６】
光源制御部９２は、電源投入時に、ＬＥＤ１を読取モードそれぞれに対応した光量に調整する光量調整を行うものである。また、光源制御部９２は、原稿サイズ判定部８により原稿サイズが判定された後、ＬＥＤ１の光量を電源投入時の光量調整により調整した値に設定するものである。また、光源制御部９２は、圧板開閉センサ４により閉状態が検知された場合、ＬＥＤ１の光量を電源投入時の光量調整により調整した値から一律に低減した値に設定するものである。
【００３７】
カウント部９３は、圧板開閉センサ４が開状態、閉状態を検知した場合の圧板の開閉回数、およびＣＣＤ２による原稿サイズの検知回数をカウントするものであり、カウントした圧板の開閉回数や原稿サイズの検知回数を不図示の記憶部に記憶する。これは、基板リユース時の情報として利用するためである。
【００３８】
ＣＰＵ１０は、スキャナ１００、画像処理部２００、スキャナ制御部９等により構成された画像読取装置全体制御を行うものである。
【００３９】
操作部１１は、利用者に入力画面や警告を表示するとともに、表示された入力画面及び操作キーから利用者の入力を行うものである。
【００４０】
メモリ１２は、各種データを一時的に保存する記憶媒体である。
【００４１】
次に、光源制御部９２は、ＬＥＤ１の光量調整について説明する。本実施の形態におけるＬＥＤの光量調整は、一般的に実施される光量調整と同様である。図６は、ＬＥＤの光量調整の説明図である。図６に示すように、ＣＣＤ２により原稿を読み取る際のライン同期信号に同期した点灯クロックが１ラインの中に複数回ｏｎ／ｏｆｆ（点灯／消灯）を繰り返している。光源制御部９２は、点灯クロックのＨｉｇｈ／Ｌｏｗのｄｕｔｙ（パルス幅のＨとＬの比）を変更したり（ＰＷＭ（Pulse  Width  Modulation）調整）、設定されたゲイン（増幅率）に応じてＣＣＤ２が光電変換した電気信号を増幅すること（ゲイン設定）によりＬＥＤ１の光量調整を行う。
【００４２】
次に、画像読取装置の電源投入時におけるＬＥＤ１の光量調整の流れについて説明する。図７は、ＬＥＤの光量調整の流れを示すフローチャートである。
【００４３】
まず、光源制御部９２は、画像形成装置の電源ＯＮ（投入）になったか否かを判断し（ステップＳ１０）、電源ＯＦＦである場合はそのまま待機する（ステップＳ１０：Ｎｏ）。
【００４４】
電源ＯＮになった場合（ステップＳ１０：Ｙｅｓ）、光源制御部９２は、ゲイン設定を行い（ステップＳ１１）、ＰＷＭを初期値に設定する（ステップＳ１２）。次に、スキャナ制御部９は、モータ３により第１キャリッジＣ１を基準白板の下に移動させる（ステップＳ１３）。
【００４５】
次に、ＬＥＤ１が基準白板を照射し、ＣＣＤ２は、基準白板を読み取る（ステップＳ１４）。光源制御部９２は、ＣＣＤ２により読み取られた基準白板の画像データから、画像信号のピーク値を検出する（ステップＳ１５）。光源制御部９２は、このピーク値に基づいて基準白板のピーク値が狙いの値となるようにＰＷＭ調整を行って光量調整を行い（ステップＳ１６）、調整値によりＰＷＭ設定を行う（ステップＳ１７）。
【００４６】
光源制御部９２は、他の読取モードがあるか否かを判断し（ステップＳ１８）、他の読取モードがある場合（ステップＳ１８：Ｙｅｓ）、読取モードを切り替えてステップＳ１４〜ステップＳ１７の処理を繰り返す。
【００４７】
一方、他の読取モードがない場合（ステップＳ１８：Ｎｏ）、スキャナ制御部９は、モータ３により第１キャリッジＣ１を待機位置に移動させる（ステップＳ１９）。
【００４８】
次に、画像読取装置の原稿サイズの検知動作の流れについて説明する。図８は、原稿サイズの検知動作の流れを示すフローチャートである。
【００４９】
まず、スキャナ制御部９は、圧板開閉センサ４により圧板の開閉状態を判断し（ステップＳ３０）、閉状態である場合は開状態になるまで待機する（ステップＳ３０：Ｎｏ）。一方、圧板が開状態になった場合（ステップＳ３０：Ｙｅｓ）、モード切替部９１は、ＣＣＤ２の読取モードをモノクロモードに切り替える（ステップＳ３１）。スキャナ制御部９は、モータ３により第１キャリッジＣ１を原稿サイズ検知位置に移動させる（ステップＳ３２）。
【００５０】
そして、スキャナ制御部９は、圧板開閉センサ４により圧板の開閉状態を判断し（ステップＳ３３）、開状態のままである場合は閉状態になるまで待機する（ステップＳ３３：Ｎｏ）。
【００５１】
一方、圧板が閉状態になった場合（ステップＳ３３：Ｙｅｓ）、ＬＥＤ１の光量を電源投入時の光量調整により調整された値から一律に低減した値によりＰＷＭ設定を行う（ステップＳ３４）。そして、光源制御部９２は、ＬＥＤ１を点灯し（ステップＳ３５）、原稿サイズ検知センサ５は、副走査方向の原稿サイズを検知する（ステップＳ３６）。
【００５２】
次に、光源制御部９２は、モータ３により第１キャリッジＣ１を原稿サイズ検知位置から待機位置まで移動させ、ＣＣＤ２により主走査方向の原稿サイズを検知する（ステップＳ３７）。
【００５３】
そして、原稿サイズ判定部８は、原稿サイズ検知センサ５からの出力とＣＣＤ２からの出力とに基づき、原稿サイズを判定する（ステップＳ３８）。原稿サイズが判定できなかった場合（ステップＳ３８：Ｎｏ）、ＣＰＵ１０は操作部１１に原稿サイズが判定不能である旨と圧板開閉の指示を表示（アラート表示）し（ステップＳ３９）、ステップＳ３０に戻る。
【００５４】
一方、原稿サイズが判定できた場合（ステップＳ３８：Ｙｅｓ）、カウント部９３は、原稿サイズ検知回数をインクリメントする（ステップＳ４０）。そして、モード切替部９１は、ＣＣＤ２の読取モードを利用者により指定された読取モードに切り替える（ステップＳ４１）。そして、スキャナ１００は、画像を読み取るスキャンを実行する（ステップＳ４２）。
【００５５】
このように、本実施の形態の画像形成装置では、主走査方向の原稿サイズを検知する場合は、ＬＥＤ１とＣＣＤ２を利用して行うが、原稿サイズを検知する場合のＬＥＤ１の光量を、電源投入時の光量調整により調整した値から一律に低減した値に設定するため、原稿サイズを検知する際に、光源の発光による眩しさを軽減することができる。
【００５６】
また、原稿サイズを検知する場合、読取モードをモノクロモードに切り替えることでＣＣＤ２のモノクロラインを使用して検知を行う。これは、モノクロラインのみを使用すると、ＣＣＤ２の感度がばらつく要因となるカラーフィルタを使用しなくてよいため、カラーフィルタによるばらつきを考慮する必要がなくなるからである。その結果、ＬＥＤ１の原稿面に対する照度のばらつきが軽減できる。
【００５７】
図９は、実施の形態にかかる画像読取装置のハードウェア構成を示すブロック図である。本図に示すように、この画像読取装置は、コントローラ１０００とエンジン部（Engine）６０００とをＰＣＩ（Peripheral  Component  Interface）バスで接続した構成となる。コントローラ１０００は、画像読取装置全体の制御と描画、通信、図示しない操作部からの入力を制御するコントローラである。エンジン部６０００は、ＰＣＩバスに接続可能なプリンタエンジンなどであり、たとえば白黒プロッタ、１ドラムカラープロッタ、４ドラムカラープロッタ、スキャナまたはファックスユニットなどである。なお、このエンジン部６０００には、プロッタなどのいわゆるエンジン部分に加えて、誤差拡散やガンマ変換などの画像処理部分が含まれる。
【００５８】
コントローラ１０００は、ＣＰＵ１１００と、ノースブリッジ（ＮＢ）１３００と、システムメモリ（ＭＥＭ−Ｐ）１２００と、サウスブリッジ（ＳＢ）１４００と、ローカルメモリ（ＭＥＭ−Ｃ）１７００と、ＡＳＩＣ（Application  Specific  Integrated  Circuit）１６００と、ハードディスクドライブ（ＨＤＤ）１８００とを有し、ノースブリッジ（ＮＢ）１３００とＡＳＩＣ１６００との間をＡＧＰ（Accelerated  Graphics  Port）バス１５００で接続した構成となる。また、ＭＥＭ−Ｐ１２００は、ＲＯＭ（Read  Only  Memory）１２００ａと、ＲＡＭ（Random  Access  Memory)１２００ｂと、をさらに有する。
【００５９】
ＣＰＵ１１００は、画像読取装置の全体制御をおこなうものであり、ＮＢ１３００、ＭＥＭ−Ｐ１２００およびＳＢ１４００からなるチップセットを有し、このチップセットを介して他の機器と接続される。
【００６０】
ＮＢ１３００は、ＣＰＵ１１００とＭＥＭ−Ｐ１２００、ＳＢ１４００、ＡＧＰ１５００とを接続するためのブリッジであり、ＭＥＭ−Ｐ１２００に対する読み書きなどを制御するメモリコントローラと、ＰＣＩマスタおよびＡＧＰターゲットとを有する。
【００６１】
ＭＥＭ−Ｐ１２００は、プログラムやデータの格納用メモリ、プログラムやデータの展開用メモリ、プリンタの描画用メモリなどとして用いるシステムメモリであり、ＲＯＭ１２００ａとＲＡＭ１２００ｂとからなる。ＲＯＭ１２００ａは、プログラムやデータの格納用メモリとして用いる読み出し専用のメモリであり、ＲＡＭ１２００ｂは、プログラムやデータの展開用メモリ、プリンタの描画用メモリなどとして用いる書き込みおよび読み出し可能なメモリである。
【００６２】
ＳＢ１４００は、ＮＢ１３００とＰＣＩデバイス、周辺デバイスとを接続するためのブリッジである。このＳＢ１４００は、ＰＣＩバスを介してＮＢ１３００と接続されており、このＰＣＩバスには、ネットワークインターフェース（Ｉ／Ｆ）部なども接続される。
【００６３】
ＡＳＩＣ１６００は、画像処理用のハードウェア要素を有する画像処理用途向けのＩＣ（Integrated  Circuit）であり、ＡＧＰ１５００、ＰＣＩバス、ＨＤＤ１８００およびＭＥＭ−Ｃ１７００をそれぞれ接続するブリッジの役割を有する。このＡＳＩＣ１６００は、ＰＣＩターゲットおよびＡＧＰマスタと、ＡＳＩＣ１６００の中核をなすアービタ（ＡＲＢ）と、ＭＥＭ−Ｃ１７００を制御するメモリコントローラと、ハードウェアロジックなどにより画像データの回転などをおこなう複数のＤＭＡＣ（Direct  Memory  Access  Controller）と、エンジン部６０００との間でＰＣＩバスを介したデータ転送をおこなうＰＣＩユニットとからなる。このＡＳＩＣ１６００には、ＰＣＩバスを介してＦＣＵ（Facsimile  Control  Unit）３０００、ＵＳＢ（Universal  Serial  Bus）４０００、ＩＥＥＥ１３９４（the  Institute  of  Electrical  and  Electronics  Engineers  １３９４）インターフェース５０００が接続される。操作表示部２０００はＡＳＩＣ１６００に直接接続されている。
【００６４】
ＭＥＭ−Ｃ１７００は、コピー用画像バッファ、符号バッファとして用いるローカルメモリであり、ＨＤＤ（Hard  Disk  Drive）１８００は、画像データの蓄積、プログラムの蓄積、フォントデータの蓄積、フォームの蓄積を行うためのストレージである。
【００６５】
ＡＧＰ１５００は、グラフィック処理を高速化するために提案されたグラフィックスアクセラレーターカード用のバスインターフェースであり、ＭＥＭ−Ｐ１２００に高スループットで直接アクセスすることにより、グラフィックスアクセラレーターカードを高速にするものである。
【００６６】
なお、本実施の形態の画像読取装置で実行される画像読取プログラムは、ＲＯＭ等に予め組み込まれて提供される。本実施の形態の画像読取装置で実行される画像読取プログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００６７】
さらに、本実施の形態の画像読取装置で実行される画像読取プログラムを、インターネット等のネットワークに接続されたコンピュータ上に格納し、ネットワーク経由でダウンロードさせることにより提供するように構成しても良い。また、本実施の形態の画像読取装置で実行される画像読取プログラムをインターネット等のネットワーク経由で提供または配布するように構成しても良い。
【００６８】
本実施の形態の画像読取装置で実行される画像読取プログラムは、上述した各部（ＡＦＥ６、画像処理部７、原稿サイズ判定部８、モード切替部９１、光源制御部９２、カウント部９３）を含むモジュール構成となっており、実際のハードウェアとしてはＣＰＵ（プロセッサ）が上記ＲＯＭから画像読取プログラムを読み出して実行することにより上記各部が主記憶装置上にロードされ、ＡＦＥ６、画像処理部７、原稿サイズ判定部８、モード切替部９１、光源制御部９２、カウント部９３が主記憶装置上に生成されるようになっている。
【符号の説明】
【００６９】
１  ＬＥＤ
２  ＣＣＤ
３  モータ
４  圧板開閉センサ
５  原稿サイズ検知センサ
７  画像処理部
８  原稿サイズ判定部
９  スキャナ制御部
９１  モード切替部
９２  光源制御部
９３  カウント部
１１  操作部
１２  メモリ
２１  第１ミラー
２２  第２ミラー
２３  第３ミラー
２４  レンズ
３０  読取ガラス
１００  スキャナ
２００  画像処理部
３００  主制御部
Ｌ１  モノクロラインセンサ
Ｌ２  カラーラインセンサ
【先行技術文献】
【特許文献】
【００７０】
【特許文献１】特開２００２−２９０６７５号公報
【図１】
2013026657.tif 000003
【図２】
2013026657.tif 000004
【図３】
2013026657.tif 000005
【図４】
2013026657.tif 000006
【図５】
2013026657.tif 000007
【図６】
2013026657.tif 000008
【図７】
2013026657.tif 000009
【図８】
2013026657.tif 000010
【図９】
2013026657.tif 000011